(57)【特許請求の範囲】
【請求項１】
互いに相対移動可能な二つの部分を有し、これら部分のうちの一方に関連付けられているレール（１０）が移動方向に延び、該レールがレール長手方向に延びているスナップ嵌め穴（１２）の少なくとも一つの列を有し、これらスナップ嵌め穴（１２）はウェブ状材料部（１４）によって互いに隔てられており、前記部分のうちの他方に関連付けられているラチェット（１６）が係合解除位置と施錠位置との間を、前記レール（１０）の延在方向を横切る方向に前記レールに対し相対移動可能であると共に、操作機構（１８）によって制御可能であり、ラチェット（１６）の互いに相対移動可能な少なくとも一つの部分が施錠位置においてスナップ嵌め穴（１２）内に係合する乗り物用座席のための施錠装置において、関連するラチェット（１６）が意図することなく係合解除して有効施錠位置から外れるのを防止する少なくとも一つの保持要素を具備し、前記保持要素を、前記関連するラチェット（１６）に力を能動的に作用させる掛止装置（２２）から形成し、前記掛止装置（２２）を一対のばねラッチ（２４）から形成し、これらばねラッチ（２４）が前記ラチェット（１６）のための係合穴（２６）を画定し、ばねラッチ（２４）の自由ばね端部（２８）がラチェット（１６）と接触するよう配置した施錠装置。
【請求項２】
互いに相対移動可能な二つの部分を有し、これら部分のうちの一方に関連付けられているレール（１０）が移動方向に延び、該レールがレール長手方向に延びているスナップ嵌め穴（１２）の少なくとも一つの列を有し、これらスナップ嵌め穴（１２）はウェブ状材料部（１４）によって互いに隔てられており、前記部分のうちの他方に関連付けられているラチェット（１６）が係合解除位置と施錠位置との間を、前記レール（１０）の延在方向を横切る方向に前記レールに対し相対移動可能であると共に、操作機構（１８）によって制御可能であり、ラチェット（１６）の互いに相対移動可能な少なくとも一つの部分が施錠位置においてスナップ嵌め穴（１２）内に係合する乗り物用座席のための施錠装置において、関連するラチェット（１６）が意図することなく係合解除して有効施錠位置から外れるのを防止する少なくとも一つの保持要素を具備し、前記保持要素を、前記関連するラチェット（１６）に係合可能な掛止装置（２２）から形成し、前記掛止装置（２２）を、前記操作機構（１８）の蟻ほぞ部分（４２）と前記圧縮ばね（３６）とによって制御される形で解放位置と施錠位置との間を移動可能な掛止フック（３０）から形成し、前記ラチェット（１６）が有効施錠位置に保持されるようにした施錠装置。
【請求項３】
個々のラチェット（１６）を、ハウジング（３４）のガイド（３２）内において互いに軸線方向に離間しつつ案内してこれらラチェットがレール長手方向に対し横断方向に延びるようにし、ラチェット（１６）をそれらの施錠位置の方向に付勢ばねによって保持するようにした請求項１または２に記載の施錠装置。
【請求項４】
前記付勢ばねが圧縮ばね（３６）であり、該圧縮ばね（３６）の一端を前記ハウジング（３４）の金属シート製カバー（３８）により支持すると共に、該圧縮ばね（３６）の他端を前記ラチェット（１６）により支持した請求項３に記載の施錠装置。
【請求項５】
個々のラチェット（１６）を、ハウジング（３４）のガイド（３２）内において互いに軸線方向に離間しつつ案内してこれらラチェットがレール長手方向に対し横断方向に延びるようにし、ラチェット（１６）をそれらの施錠位置の方向に付勢ばねによって保持するようにし、前記付勢ばねが圧縮ばね（３６）であり、該圧縮ばね（３６）の一端を前記ハウジング（３４）の金属シート製カバー（３８）により支持すると共に、該圧縮ばね（３６）の他端を前記ラチェット（１６）により支持し、前記ばねラッチ対（２４）が、前記金属シート製カバー（３８）の一部分であり、かつ単一部品となるように該カバーに接続される請求項１に記載の施錠装置。
【請求項６】
個々のラチェット（１６）を、ハウジング（３４）のガイド（３２）内において互いに軸線方向に離間しつつ案内してこれらラチェットがレール長手方向に対し横断方向に延びるようにし、ラチェット（１６）をそれらの施錠位置の方向に付勢ばねによって保持するようにし、前記付勢ばねが圧縮ばね（３６）であり、該圧縮ばね（３６）の一端を前記ハウジング（３４）の金属シート製カバー（３８）により支持すると共に、該圧縮ばね（３６）の他端を前記ラチェット（１６）により支持し、前記ラチェット（１６）が前記掛止フック（３０）のための溝ガイド（７２）を有し、該掛止フック（３０）が基板（８０）によって制御フック（８２）と協働し、該制御フック（８２）が、前記操作機構（１８）の蟻ほぞ部分（４２）と圧縮ばね（３６）とによって制御される前記掛止フック（３０）を移動せしめるようにした請求項２に記載の施錠装置。
【請求項７】
前記基板（８０）が前記ラチェット（１６）に接触するために、傾斜接触平面（６４）を含む請求項６に記載の施錠装置。
【請求項８】
前記操作機構（１８）が制御棒（４４）を含み、該制御棒の前記蟻ほぞ部分（４２）が直接的にまたは間接的に前記ラチェット（１６）の前記制御カム（４０）と係合する請求項１から７のいずれか一項に記載の施錠装置。
【発明の詳細な説明】
【０００１】
本発明は、互いに相対移動可能な二つの部分を有し、これら部分のうちの一方に関連付けられているレールが移動方向に延び、レールがレール長手方向に延びているスナップ嵌め穴の少なくとも一つの列を有し、これらスナップ嵌め穴はウェブ状材料部によって互いに隔てられており、前記部分のうちの他方に関連付けられているラチェットが係合解除位置と施錠位置との間を、前記レールの延在方向を横切る方向に前記レールに対し相対移動可能であると共に、操作機構によって制御可能であり、ラチェットの互いに相対移動可能な少なくとも一つの部分が施錠位置においてスナップ嵌め穴内に係合する乗り物用座席、特に自動車用座席のための施錠装置に関する。
こうした乗り物用座席のための施錠装置は国際特許出願公開第ＷＯ９５／１７３１７号公報から公知である。公知の施錠装置の場合、乗り物用座席の二つの可動部分を互いに連続的に相対移動させることが可能であり、それによって、応力荷重が増大する場合でさえ基本的に確実な施錠が実現される。
【０００２】
こうした公知の解決策では、斜めに配置された係合表面に必要とされるようにラチェットが楔形の形状を有し、それによって傾斜表面が移動方向に対し横断方向において下向きに方向付けられることが実現され、その結果として、場合によっては、移動方向における荷重が施錠解除を生じさせる弱い力成分をラチェット上に及ぼし、したがって一般的に、偶発的な施錠解除が生じる可能性がない。しかし、例えば衝突の場合に生じる高周波振動成分を伴う大きな有害な力が加えられると、ラチェットが持ち上げられて施錠位置から離脱し、その次のラチェットが荷重を引き継ぐまで続く部分的な長手方向の力を受ける可能性がある。
【０００３】
技術の現状に基づいて、本発明の目的は、特に高周波振動成分をもたらす衝突の場合に、関連する施錠ラチェットが持ち上がって有効施錠位置から離脱することによって生じる施錠ラチェットの意図しない係合解除を防止することにより、施錠機構をさらに改善することにある。こうした目的は請求項１に示されている特徴を有する施錠装置によって実現される。
【０００４】
請求項１の特徴部分によれば、関連する施錠ラチェットを持ち上げて有効施錠位置から外すことによって生じる施錠ラチェットの意図しない係合解除を防止する少なくとも一つの保持要素が提供される。ラチェットをその施錠位置から持ち上げて施錠解除しようとする最小限の動きが生じる場合にさえ、ラチェットが有効施錠位置に堅固に保持されるか、またはラチェットにこの施錠位置の方向への追加の保持力が作用するので、高周波振動成分を伴う衝突の場合でさえ、有効な施錠の確保が実現される。
【０００５】
関連する保持要素を関連するラチェットに対して、摩擦でもって施錠位置に保持するものであるフォースロッキング式施錠および／または、噛み合いでもって施錠位置に保持するものであるフォームロッキング式施錠として機能する一種の掛止装置として形成するのが好ましい。
本発明による施錠装置の特に好ましい実施様態の一つでは、掛止装置は、ラチェットのための係合穴を画定しかつラチェットとの接触位置にそれらの自由ばね端部が配置されている一対のばねラッチから形成されている。この構成に基づいて、有効な施錠位置の範囲内でラチェットに最小限の持ち上がり移動が生じる場合に、ばねラチェットの調整力によってその持ち上げ移動を打ち消す力が発生され、それによってラチェットの持ち上がりを防止できる。
【０００６】
別の好ましい形式の実施様態では、掛止装置が掛止フックから形成され、この掛止フックは操作機構の蟻ほぞ部分によって移動可能であると共に、離脱位置または係合解除位置と、確実に有効施錠位置にラチェットが保持されている施錠位置との間で制御可能である。さらに、フォームロッキング式施錠接続が形成され、それによって有効な施錠位置を保持し実現するために、施錠ラチェットに対し特に大きい保持力を作用させることができる。
【０００７】
本発明の施錠装置の他の有利な実施様態が従属項の目的である。
以下では、図面を参照しながら施錠装置をさらに詳細に説明する。図面は、一定の縮尺でなく、原理的に次のものを示している。
図１は、乗り物用座席（特に自動車用座席）のための施錠装置を示す。この施錠装置は互いに相対移動可能である二つの可動部分と、これら可動部分のうちの一方に関連付けられかつその移動方向に延びるレール１０とを有する。このレールはレール長手方向に延びているスナップ嵌め穴１２（図２を参照）の列を有し、これらスナップ嵌め穴１２はウェブ状材料部１４によって互いに隔てられている。同一の形状構成の他方のレール状部分にはラチェット１６が関連付けられており、このラチェット１６はレール１０の延在方向に対して横断方向に制御可能であると共に、係合解除位置と施錠位置との間でレールに対し相対移動可能である。ラチェット１６はさらに、操作機構１８によって制御可能であり、ラチェットの互いに相対移動可能な少なくとも二つの部分は施錠位置において図１に示されているように、施錠装置の施錠位置に配置されているスナップ嵌め穴１２内に係合する。関連するスナップ嵌め穴１２と係合するために、ラチェット１６は係合表面２０を有し、これら係合表面２０は、傾斜しているので、関連するラチェット１６のための楔形を形成する。
【０００８】
さらに、施錠装置は保持要素を含み、これら保持要素は関連するラチェット１６の係合が意図することなく脱離してラチェット１６が有効施錠位置から排除されるのを阻止する。この場合、保持要素は掛止装置２２（図３、図８、図９）から形成されており、この掛止装置２２は、関連するラチェット１６に対してフォースロッキング式施錠および／またはフォームロッキング式施錠を実行する。説明されるべき施錠機構の第１の実施様態では、掛止装置２２は一対のばねラッチ２４から形成されており、これらばねラッチはラチェット１６のための係合穴２６を画定すると共に、ラチェットと接触するように配置されているその自由ばね端部によって具現化されている。ここで、高い応力荷重が加えられた場合、特に高周波振動成分で衝突した場合、ラチェット１６が係合解除位置の方向に移動されると、有効施錠位置の方向の反力がラチェットに作用する。
【０００９】
図９ａから図９ｄに示されている施錠装置の別の実施様態では、掛止要素２２は掛止フック３０によって形成されており、この掛止フック３０は、操作機構の蟻ほぞ部分と圧縮ばねとにより制御されて解放位置又は係合解除位置と施錠位置との間を移動可能である。この場合でも、ラチェット１６は有効施錠位置に保持され、それによってその保持作用を別の問題なしに解除できる。これについては、さらに詳細に後述する。
【００１０】
個々のラチェット１６は、レール長手方向の横断方向に延在するハウジング３４のガイド３２内を互いに軸線方向に間隔を開けつつ案内され、それにより、ラチェット１６が施錠位置の整列状態に圧縮ばね３６の形の付勢ばねによって保持されるようになる。さらに、図９ａから図９ｄに示される例では、圧縮ばね３６はその一端がハウジング３４の金属シート製カバー３８上に支持され、他端がラチェット１６上（図３参照）または掛止装置２２の一部分上（図１０参照）に支持される。さらに、特に図８に示されるように、ばねラッチ対２４は金属シート製カバー３８の一部分であり、このカバーに単一部材として接続されている。ラチェット１６の制御のために、これらラチェットは、操作機構１８側の側部上に（図１）制御カム４０を有し、この制御カム４０は操作機構１８の制御棒４４の突出蟻ほぞ部分４２によって制御可能である。
【００１１】
金属シートの平坦部分を切断または打ち抜くことによって金属シート製カバー３８を製造でき、この金属シート製カバー３８の外側輪郭を対応する曲げまたは圧延によって形成できる。ラチェット１６に向いている側において、金属シート製カバー３８は直径方向に互いに対向する対の形の保持フック４６を有し、これらの保持フック４６はそれらのフック状突起によって、関連する圧縮ばね３６の自由な一端のための接触表面を形成する。さらに、金属シート製カバー３８は、ばねラッチ２４の対と反対側に、定置ハウジング部分ウェブ５０が貫入する切欠き４８を有し、これにより、金属シート製カバー３８をそれに関連するハウジング３４上に締付けるのが容易になる。
【００１２】
一体型ラッチ状突起５２が、概ねＵ字形の金属シート製カバー３８の底部に固定されている。これらの突起５２は互いに同じ長さであり、図８に特に明確に示されるように対の形で互いに向けて曲げられるようになっており、ラチェット１６の制御カム４０のための係合穴２６を画定し、保持フック４６に向かうように内向きに単純に曲げられまたは湾曲される。
【００１３】
図示されている例では、図面において非施錠状態の係合解除状態で示されている右端のラッチ１６を除いて、全てのラッチ１６が、レール１０を施錠する施錠位置で示されている。ハウジング３４はその頂部において、その中線に沿って概ね面一に金属シート製カバー３８装着され、それによって、ハウジング３４が、長手方向、言い換えるとラチェット１６の両自由端の方向に見た場合に、下向きに先細になる円錐先細状の側部５６を有する。これら側部５６には、ハウジング３４のスライドレール上への装着を堅固にするための二つのねじ６０が貫入するボア穴５８が設けられる。
【００１４】
個々のラチェット１６の構造の詳細は、特に図９ａから図９ｄの例からわかる。関連するラチェット１６の自由端において互いに対向して配置された接触表面２０が、平坦な閉じ表面６２を画定する。この閉じ表面６２の反対側において、ラチェット１６は接触表面６４を有し、この接触表面６４は上記の第１の実施様態の場合、図９ａから図９ｄに示されるのに反して、閉じ表面６２に対し平行にかつ同一方向にかつ整列されて延びる。制御カム４０は接触表面６４の延長部分内に取り付けられると共に、少なくとも一の側において接触表面６４と係合し、それ自体とそれに関連する係合表面２０との間にＵ字形の接触表面６６を画定し、ラチェット１６がハウジング３４内に挿入されたときに、レールの長手方向に延びるハウジング３４の横方向ウェブ表面６８がこの接触表面６６内に到達する。
【００１５】
関連するラチェット１６のハウジング３４内での移動は補助ウェブ表面７０によってさらに案内され、この補助ウェブ表面７０はラチェット１６を、図示される位置において少なくとも部分的に幅広にすると共に、ガイド３２内にウェブ状幅広切欠きを形成しているハウジング３４内の関連する案内切欠き開口９０内に係合するための案内表面を形成する。各ラチェット１６の関連する補助ウェブ表面７０を一種のエンボスとして製造してラチェット１６内に延びる対応する溝ガイド７２が反対側に形成されるようにすることもできる。
【００１６】
図１に関連して図３に特に示されているように、制御カム４０と、ハウジング３４の横ウェブ表面６８の関連する頂部との間に凹空間が延びており、この凹空間内に操作機構１８の関連する蟻ほぞ部分４２が係合可能である。関節棒７４が手動により、または軸に締結されたガイド７６回りに従って回転軸線７８回りに関節棒７４を旋回させる対応する駆動装置により操作されると、関連する蟻ほぞ部分４２が制御カム４０上の関連するラチェット１６を持ち上げ、その結果このラチェットが、圧縮ばね３６のばね付勢に逆らってその係合解除位置に移動せしめられ、従ってハウジング３４の内部に移動せしめられる。関節棒７４が自由な状態にされると、圧縮ばね３６がラチェットをその初期位置に保持する対応する保持動作を補助し、したがって装置全体を施錠位置に保持するのを補助する。次いで、施錠位置では、ハウジング３４の外方下向きに突き出るラチェット１６の係合表面２０が、レール１０の関連するスナップ嵌め穴１２内に係合することが可能になり、対応するガイドと共に、遊びのない施錠を実現することが可能になる。
【００１７】
上記のように圧縮ばね３６の力に逆らってラチェット１６が移動するときに、制御カム４０が、関連するばねラッチ対２４の係合穴２６を通って移動させられ、それにより、制御カム４０の連続的な移動によって制御カム４０がばね端部２８に接触するようになり、軸線方向に整列した状態のままこれらばね端部を強制的に離間させる。従って、貫入間隙５４が広げられ、二つのばね端部２８が制御カム４０上にフォースロッキング式施錠を強いる。上述の操作機構１８が複数の部品から構成されまたは複セクション形であり、かつ例えば関連する制御カム４０を制御する蟻ほぞ部分が個別に制御可能な場合には、ラチェット１６を個別に制御することもできる。
【００１８】
本発明の施錠装置の別の実施様態では、図９ａから図９ｄに示されているように、保持要素および掛止装置２２としてのばねラッチ対２４を省略できる。さらに、この場合、掛止フック３０から形成されている掛止装置２２が設けられ、この掛止装置２２は操作機構の蟻ほぞ部分４２と、図９ａから図９ｄに示されるように解放位置と施錠位置との間で制御される圧縮ばね３６とによって施錠位置に移動可能であり、一方、施錠位置ではラチェット１６は有効な施錠位置に保持される。この目的のために、関連するラチェット１６は掛止フック３０のための上述した溝ガイド７２を含み、掛止フック３０は基板８０によって制御フック８２と協働し、この制御フック８２は上述のように操作機構１８の蟻ほぞ部分４２と圧縮ばね３６とによって制御される掛止フック３０を移動せしめる。
【００１９】
この場合、基板８０をラチェット１６と接触させるために傾斜接触表面６４を設けるのが好ましく、傾斜接触表面６４の仮想延長線は、水平に配置されている閉じ表面６２の仮想延長線と交差する。基板８０は接触表面６４を併合または包囲するための突起８４を含んでもよい。反対側では、基板８０は９０°だけ曲げられて平坦な関節プレート８６に到り、この関節プレート８６から掛止フック３０と制御フック８２とが形成されている。この場合、制御フック８２が制御カム４０の底部側を延び、このようにして係合空間６６内を通るようにするのが好ましい。
【００２０】
図９ｃと図９ｄは、係合解除手順中のラチェットを示す。この場合、操作機構１８の蟻ほぞ部分４２は、制御カム４０に対する圧縮ばね３６のばね力を克服しつつ、制御フック８２のフック付き端部を押す。したがって、掛止フック３０のフック部分が係合解除され、ラチェット１６が上昇可能になる。
図１０は、施錠状態での掛止フック３０を備えたラチェット１６を示している。掛止フック３０のフックが圧縮ばね３６によって施錠位置まで移動せしめられる（８０が６４上に接触するようになる）。このときラチェット１６に極端な応力が加えられてラチェット１６が（制御下で）持ち上げられると、掛止フック３０のフックがハウジング底縁の区域内にある突起の下に接触する。こうして、ラチェット１６が有効施錠位置に堅固に保持される。
【００２１】
したがって、関連するラチェットにフォースロッキング式施錠および／またはフォームロッキング式施錠を生じさせる保持要素としての本発明による掛止装置では、関連するラチェットが有効施錠位置の外に押し出されて意図することなく係合解除されるのが防止され、掛止装置がその関連するラチェットを維持し、有効な施錠位置にラチェットを保持する。
【００２２】
したがって、高周波振動成分を伴う衝突の場合に確実な施錠が得られることが確保される。というのは、ラチェットが噛合可能であり続けるように、施錠位置から離脱させようとする最小の持上げ移動を受けるラチェットが捕捉され、それによって追加の保持力が、掛止機構によってこの保持位置の方向に同時に作用可能であるからである。関連するラチェットまたは施錠機構の係合の度合いの結果として、関連する係合状況とは無関係に施錠掛止手順が容易化され、したがって従来の技術に比べて、この機構が保持端部位置に完全には到達していないときにも、ラチェットの意図しない移動が防止される。
【図面の簡単な説明】
【図１】  施錠装置の端面図である。
【図２】  レールの部分平面図である。
【図３】  施錠装置の第１の実施様態の側面図である。
【図４】  施錠装置の第１の実施様態の斜視図である。
【図５】  施錠装置の第１の実施様態の平面図である。
【図６】  図５の線ＶＩ−ＶＩに沿った断面図である。
【図７】  図３から図５の施錠装置の分解斜視図である。
【図８】  第１の実施様態による保持要素の側面図である。
【図９ａ】  様々な図で示されている第２の実施様態による保持要素である。
【図９ｂ】  様々な図で示されている第２の実施様態による保持要素である。
【図９ｃ】  様々な図で示されている第２の実施様態による保持要素である。
【図９ｄ】  様々な図で示されている第２の実施様態による保持要素である。
【図１０】  第２の実施様態による施錠装置の端面図である。
【図１】
0003704039.tif 000002
【図２】
0003704039.tif 000003
【図３】
0003704039.tif 000004
【図４】
0003704039.tif 000005
【図５】
0003704039.tif 000006
【図６】
0003704039.tif 000007
【図７】
0003704039.tif 000008
【図８】
0003704039.tif 000009
【図９ａ】
0003704039.tif 000010
【図９ｂ】
0003704039.tif 000011
【図９ｃ】
0003704039.tif 000012
【図９ｄ】
0003704039.tif 000013
【図１０】
0003704039.tif 000014